(57)【要約】【課題】  簡単な構造で通話特性の良好な通話回路を提供する。【解決手段】  マイク３から入力された位相のずれていない音声信号（抵抗５とアンプ４との間からの音声信号）をバランスネットワーク回路で位相をずらし、アンプ６の非反転入力端子に入力すると共にマイク３から入力され位相のずれた音声信号（回線１と抵抗５との間からの音声信号）をアンプ６の反転入力端子に入力する。即ち、位相を合わせた２つの音声信号を夫々アンプ６の反転入力端子と非反転入力端子に入力し、２つの信号を相殺する。【選択図】        図１
2005072971.tif 000002
【特許請求の範囲】
【請求項１】
回線と接続された通信装置の通話回路であり、マイクからの音声信号を回線に出力可能であると共に回線からの音声信号をスピーカから出力可能であり、
マイクと回線との間に、前記マイクから入力した音声信号を増幅する第１のアンプが配置され、
スピーカと回線との間に、反転入力端子と非反転入力端子の２つの入力端子を有し回線から入力した音声信号を増幅する第２のアンプが配置され、
前記第２アンプの一方の入力端子と前記第１アンプの出力側との間には、抵抗と、コンデンサと、能動素子とからなるバランスネットワーク回路が配置され、
前記第２アンプの片方の入力端子は、前記回線及び前記第１のアンプの出力側と接続されていることを特徴とする通話回路。
【発明の詳細な説明】
【技術分野】
【０００１】
本発明は、有線回線と接続された通信装置の通話回路に関する。
【背景技術】
【０００２】
有線回線と接続された通信装置として、例えば電話装置やファクシミリ装置が挙げられる。これら通信装置は、通常、ハンドセットと回線との間に通話回路を有している。又、通信装置内部には、通常トランスが配置され、前記トランスの１次側に回線が接続され、２次側に通話回路が接続されている。更に、通話回路にはハンドセットが接続されている。
【０００３】
このような通話回路に発生する問題の１つとして側音の問題が挙げられ、側音のレベルが大きいと、自分の発する声が大きなレベルでスピーカから出力される為、通話中のユーザにとって非常に不愉快な思いをすることとなる。一方、側音のレベルが低すぎると、ユーザが自分の声が相手先に届いているかわからず、非常に通話しづらいという問題が生じる。
【０００４】
このような側音を防止する側音防止回路に関して様々な提案がされており、例えば特許文献１には、マイクとトランスとの間にアンプを設けると共にスピーカとトランスとの間にも同様にアンプを設けた構成の通話回路が記載されている。
【特許文献１】特開平１１−１５０５９９号公報（第２〜３頁、図１）
【発明の開示】
【発明が解決しようとする課題】
【０００５】
しかしながら、アンプにより音声レベルを調整することにより側音を打ち消そうとしても、回線Ｌの影響により、音声信号の位相がずれるといったことが生じ、良好な通話特性を得ることができない。一方、専用のスピーチネットワークＩＣ（Ｉｎｔｅｇｒａｔｅｄ  Ｃｉｒｃｕｉｔ）を使用して良好な通話特性を得ることも考えられるがこのようなＩＣは高価である。
【課題を解決するための手段】
【０００６】
本願発明はこのような課題を解決する為のものであり、請求項１記載の通話回路は、回線と接続された通信装置の通話回路であり、マイクからの音声信号を回線に出力可能であると共に回線からの音声信号をスピーカから出力可能であり、マイクと回線との間に、前記マイクから入力した音声信号を増幅する第１のアンプが配置され、スピーカと回線との間に、反転入力端子と非反転入力端子の２つの入力端子を有し回線から入力した音声信号を増幅する第２のアンプが配置され、前記第２アンプの一方の入力端子と前記第１アンプの出力側との間には、抵抗と、コンデンサと、能動素子とからなるバランスネットワーク回路が配置され、前記第２アンプの片方の入力端子は、前記回線及び前記第１のアンプの出力側と接続されていることを特徴とする。
【発明の効果】
【０００７】
本発明は、マイクから入力された位相のずれていない音声信号を能動素子（アンプ機能、
フィルタ機能等）を含むバランスネットワーク回路で位相をずらし、アンプの非反転入力
端子に入力すると共にマイクから入力され回線の影響により位相のずれた音声信号をアン
プの反転入力端子に入力する。即ち、位相を合わせた２つの音声信号を夫々アンプの反転
入力端子と非反転入力端子に入力し、２つの信号を相殺する。この為、側音をキャンセル
でき、良好な通話特性を得ることが可能である。
【発明を実施するための最良の形態】
【０００８】
図１は本発明を適用してなる実施装置の回路図である。
【０００９】
トランス１の１次側は回線Ｌと接続されており、一方、トランス１の２次側は通話回路
２と接続されている。マイク３の出力側にはアンプ４が接続されており、前記アンプ４の
出力側は抵抗５を介してトランス１の２次側と接続されている。尚、前記抵抗５は、回線
Ｌとのインピーダンスマッチングを行なう為の抵抗である。
【００１０】
又、トランス１の２次側はアンプ６の入力側とも接続されており、前記アンプ６の出力側はスピーカ７と接続されている。
【００１１】
前記アンプ４の出力側と前記アンプ６の非反転入力側との間にはバランスネットワーク回路８が設けられている。
【００１２】
前記バランスネットワーク回路８は、アンプ９と、アンプ９の入力側に設けられた抵抗１０〜１３と、コンデンサ１４、１５の受動素子と、アンプ９の出力側に接続された抵抗１６と可変抵抗１７とから構成されている。
【００１３】
アンプ９の入力側に設けられた抵抗１０〜１３と、コンデンサ１４〜１５の受動素子は、音声信号の位相特性を変更する為に夫々の値を調整することができる。更に、アンプ９の機能と特性を利用し、より精度の高い調整をすることができる。尚、これらの値は、設計時に擬似線路と通話回路とを接続し、最も良い値に調整すれば良い。
【００１４】
又、アンプ９の出力側に設けられた可変抵抗１７の値を調整することにより、側音のキャンセル量を最良に調整することができる。
【００１５】
次に本実施例装置の動作について説明する。
【００１６】
マイク３から入力された音声信号はアンプ４にて反転増幅される。前記アンプ４にて増幅された音声信号は、アンプ４と抵抗５との間における位相とトランス１と抵抗５との間における位相とが異なっている。これは、抵抗５とトランス１との間では、音声信号は、回線Ｌの影響を受け、位相がずれるからである。一方、抵抗５とアンプ４との間では、抵抗５がある為に音声信号が回線Ｌの影響を受けずに済む。
【００１７】
アンプ４で増幅された音声信号は、バランスネットワーク回路８で位相がずらされる。バランスネットワーク回路８の抵抗１０〜１３とコンデンサ１４、１５で構成される回路により位相がずらされた音声信号は、振幅、位相特性を考慮したアンプ９で更に補正された後にアンプ６の非反転入力端子に入力される。
【００１８】
一方、マイク３から入力された音声信号のうち抵抗５を介してアンプ６へ入力される音声信号（アンプ４と抵抗５との間の音声信号より位相のずれた音声信号）は、アンプ６の反転入力端子に入力される。
【００１９】
このように、アンプ４と抵抗５の間からバランスネットワーク回路８へ入力される位相のずれていない音声信号は、バランスネットワーク回路８で位相がずらされ、アンプ６の非反転増幅端子に入力され、抵抗５とトランス１との間からアンプ６へ入力される位相のずれた音声信号は、そのままアンプ６の反転増幅端子に入力される。この為、アンプ６の反転増幅端子と非反転増幅端子の２つの端子に入力されるそれぞれの音声信号は位相が同位相となり、アンプ６にてこれら２つの音声信号は相殺される。
【００２０】
又、側音レベルは、可変抵抗１７の抵抗値を変えることにより最良の位置に調整可能である。
【００２１】
一方、回線Ｌから入力した相手側の音声信号は、トランス１を介してアンプ６に入力され、アンプ６で増幅された後にスピーカ７から出力される。
【図面の簡単な説明】
【００２２】
【図１】本発明を適用してなる実施例装置の回路図である。
【符号の説明】
【００２３】
１  トランス
２  通話回路
３  マイク
６  アンプ
７  スピーカ
８  バランスネットワーク回路
９  アンプ
【図１】
2005072971.tif 000003